【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
遊技領域に遊技媒体が発射されて遊技が行われた結果、予め定められた始動条件が成立することによって所定の遊技動作による補助遊技を実行する補助遊技実行手段と、
遊技媒体を受け入れない閉状態から遊技媒体を受け入れやすい開状態に変換され、発射された遊技媒体を受け入れて遊技者に遊技価値を付与する変動入賞装置と、を備える遊技用装置と、
前記遊技用装置から出力される遊技情報を収集する遊技情報収集手段と、を備える遊技管理システムであって、
前記遊技用装置は、
前記補助遊技の結果が予め定められた特定の結果となる場合に、遊技者に有利な特別遊技状態を発生する特別遊技状態発生手段と、
前記特別遊技状態が発生すると前記変動入賞装置を所定の回数だけ繰り返して作動させる変動入賞装置作動制御手段と、
前記変動入賞装置を作動させる回数を、予め定められた複数の候補の中から所定の確率に従って一つ選択する作動回数選択手段と、
前記特別遊技状態の発生を示す信号を前記遊技情報収集手段に出力する特別遊技状態信号出力手段と、
遊技領域に発射された遊技媒体の数を特定可能なアウト球数情報を前記遊技情報収集手段へ出力するアウト球数情報出力手段と、
遊技者に付与された遊技価値を特定可能なセーフ球数情報を前記遊技情報収集手段へ出力するセーフ球数情報出力手段と、を備え、
前記遊技情報収集手段は、
前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、
前記特別遊技状態遊技情報収集手段による収集結果に基づいて、前記特賞中アウト球数情報と前記特賞中セーフ球数情報との相関関係を特定可能な相関パラメータを算出する算出手段と、を備えることを特徴とする遊技管理システム。
【請求項２】
遊技領域に遊技媒体が発射されて遊技が行われた結果、予め定められた始動条件が成立することによって所定の遊技動作による補助遊技を実行する補助遊技実行手段と、
遊技媒体を受け入れない閉状態から遊技媒体を受け入れやすい開状態に変換され、発射された遊技媒体を受け入れて遊技者に遊技価値を付与する複数の変動入賞装置と、を備える遊技用装置と、
前記遊技用装置から出力される遊技情報を収集する遊技情報収集手段と、を備える遊技管理システムであって、
前記遊技用装置は、
前記補助遊技の結果が予め定められた特定の結果となる場合に、遊技者に有利な特別遊技状態を発生する特別遊技状態発生手段と、
前記特別遊技状態において前記変動入賞装置を繰り返して作動させる回数を、予め定められた複数の候補の中から所定の確率に従って一つ選択する作動回数選択手段と、
前記特別遊技状態が発生すると前記複数の変動入賞装置のうちから前記作動回数選択手段により選択された作動回数に対応する変動入賞装置を選択して、当該選択された変動入賞装置を前記作動回数選択手段により選択された作動回数だけ繰り返して作動させる変動入賞装置作動制御手段と、
前記特別遊技状態の発生を示す信号を前記遊技情報収集手段に出力する特別遊技状態信号出力手段と、
遊技領域に発射された遊技媒体の数を特定可能なアウト球数情報を前記遊技情報収集手段へ出力するアウト球数情報出力手段と、
遊技者に付与された遊技価値を特定可能なセーフ球数情報を前記遊技情報収集手段へ出力するセーフ球数情報出力手段と、を備え、
前記遊技情報収集手段は、
前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、
前記特別遊技状態遊技情報収集手段によって収集された情報に基づいて、前記特別遊技状態において作動した変動入賞装置が、前記複数の変動入賞装置のうちのいずれであるのかを判別する対応判別手段と、
前記特別遊技状態遊技情報収集手段による収集結果及び前記対応判別手段による判別結果に基づいて、前記特別遊技状態において作動した変動入賞装置毎の前記特賞中アウト球数情報と前記特賞中セーフ球数情報との相関関係を特定可能な相関パラメータを算出する算出手段と、を備えることを特徴とする遊技管理システム。
【請求項３】
前記対応判別手段は、前記特別遊技状態遊技情報収集手段によって収集された特賞中アウト球数情報に基づいて、前記特別遊技状態において作動した変動入賞装置が、前記複数の変動入賞装置のうちのいずれであるのかを判別することを特徴とする請求項２に記載の遊技管理システム。
【請求項４】
前記遊技情報収集手段は、前記作動回数選択手段によって選択される作動回数の選択確率を記憶した作動回数発生率記憶手段を備え、
前記算出手段は、前記相関パラメータを、前記作動回数発生率記憶手段に記憶された情報に基づいて前記変動入賞装置の作動回数と関連付けて算出することを特徴とする請求項１から３のいずれか一つに記載の遊技管理システム。
【請求項５】
前記遊技用装置は、前記変動入賞装置とは異なる一般入賞装置を備え、
前記一般入賞装置は、前記特別遊技状態が発生していない場合であっても遊技媒体が入賞可能であって、
前記遊技情報収集手段は、
前記特別遊技状態が発生していない場合のアウト球数情報を通常時アウト球数情報として収集して、かつ、前記特別遊技状態が発生していない場合のセーフ球数情報を通常時セーフ球数情報として収集する通常時遊技情報収集手段を備え、
前記算出手段は、前記通常時遊技情報収集手段による収集結果に基づいて、前記相関パラメータから、前記一般入賞装置へ遊技媒体が入賞することによって遊技者に付与された遊技価値を除外して補正する補正手段を備えることを特徴とする請求項１から４のいずれか一つに記載の遊技管理システム。
【手続補正２】
【補正対象書類名】明細書
【補正対象項目名】００１３
【補正方法】変更
【補正の内容】
【００１３】
第２の発明は、遊技領域に遊技媒体が発射されて遊技が行われた結果、予め定められた始動条件が成立することによって所定の遊技動作による補助遊技を実行する補助遊技実行手段と、遊技媒体を受け入れない閉状態から遊技媒体を受け入れやすい開状態に変換され、発射された遊技媒体を受け入れて遊技者に遊技価値を付与する複数の変動入賞装置と、を備える遊技用装置と、前記遊技用装置から出力される遊技情報を収集する遊技情報収集手段と、を備える遊技管理システムであって、前記遊技用装置は、前記補助遊技の結果が予め定められた特定の結果となる場合に、遊技者に有利な特別遊技状態を発生する特別遊技状態発生手段と、前記特別遊技状態において前記変動入賞装置を繰り返して作動させる回数を、予め定められた複数の候補の中から所定の確率に従って一つ選択する作動回数選択手段と、前記特別遊技状態が発生すると前記複数の変動入賞装置のうちから前記作動回数選択手段により選択された作動回数に対応する変動入賞装置を選択して、当該選択された変動入賞装置を前記作動回数選択手段により選択された作動回数だけ繰り返して作動させる変動入賞装置作動制御手段と、前記特別遊技状態の発生を示す信号を前記遊技情報収集手段に出力する特別遊技状態信号出力手段と、遊技領域に発射された遊技媒体の数を特定可能なアウト球数情報を前記遊技情報収集手段へ出力するアウト球数情報出力手段と、遊技者に付与された遊技価値を特定可能なセーフ球数情報を前記遊技情報収集手段へ出力するセーフ球数情報出力手段と、を備え、前記遊技情報収集手段は、前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、前記特別遊技状態遊技情報収集手段によって収集された情報に基づいて、前記特別遊技状態において作動した変動入賞装置が、前記複数の変動入賞装置のうちのいずれであるのかを判別する対応判別手段と、前記特別遊技状態遊技情報収集手段による収集結果及び前記対応判別手段による判別結果に基づいて、前記特別遊技状態において作動した変動入賞装置毎の前記特賞中アウト球数情報と前記特賞中セーフ球数情報との相関関係を特定可能な相関パラメータを算出する算出手段と、を備える。
【手続補正３】
【補正対象書類名】明細書
【補正対象項目名】００１４
【補正方法】変更
【補正の内容】
【００１４】
第３の発明は、第２の発明において、前記対応判別手段は、前記特別遊技状態遊技情報収集手段によって収集された特賞中アウト球数情報に基づいて、前記特別遊技状態において作動した変動入賞装置が、前記複数の変動入賞装置のうちのいずれであるのかを判別する。
【手続補正４】
【補正対象書類名】明細書
【補正対象項目名】００１８
【補正方法】変更
【補正の内容】
【００１８】
第２の発明によれば、遊技領域に遊技媒体が発射されて遊技が行われた結果、予め定められた始動条件が成立することによって所定の遊技動作による補助遊技を実行する補助遊技実行手段と、遊技媒体を受け入れない閉状態から遊技媒体を受け入れやすい開状態に変換され、発射された遊技媒体を受け入れて遊技者に遊技価値を付与する複数の変動入賞装置と、を備える遊技用装置と、前記遊技用装置から出力される遊技情報を収集する遊技情報収集手段と、を備える遊技管理システムであって、前記遊技用装置は、前記補助遊技の結果が予め定められた特定の結果となる場合に、遊技者に有利な特別遊技状態を発生する特別遊技状態発生手段と、前記特別遊技状態において前記変動入賞装置を繰り返して作動させる回数を、予め定められた複数の候補の中から所定の確率に従って一つ選択する作動回数選択手段と、前記特別遊技状態が発生すると前記複数の変動入賞装置のうちから前記作動回数選択手段により選択された作動回数に対応する変動入賞装置を選択して、当該選択された変動入賞装置を前記作動回数選択手段により選択された作動回数だけ繰り返して作動させる変動入賞装置作動制御手段と、前記特別遊技状態の発生を示す信号を前記遊技情報収集手段に出力する特別遊技状態信号出力手段と、遊技領域に発射された遊技媒体の数を特定可能なアウト球数情報を前記遊技情報収集手段へ出力するアウト球数情報出力手段と、遊技者に付与された遊技価値を特定可能なセーフ球数情報を前記遊技情報収集手段へ出力するセーフ球数情報出力手段と、を備え、前記遊技情報収集手段は、前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、前記特別遊技状態遊技情報収集手段によって収集された情報に基づいて、前記特別遊技状態において作動した変動入賞装置が、前記複数の変動入賞装置のうちのいずれであるのかを判別する対応判別手段と、前記特別遊技状態遊技情報収集手段による収集結果及び前記対応判別手段による判別結果に基づいて、前記特別遊技状態において作動した変動入賞装置毎の前記特賞中アウト球数情報と前記特賞中セーフ球数情報との相関関係を特定可能な相関パラメータを算出する算出手段と、を備えることによって、複数の変動入賞装置が存在する遊技用装置であっても、変動入賞装置を特定する特別な信号を送受信することなく、作動した変動入賞装置を特定することができる。また、特別遊技状態が発生する毎に変動入賞装置の作動回数が可変する遊技用装置であっても、変動入賞装置の作動回数と、特賞中アウト球数がほぼ比例することを利用するため、当該作動回数を示す信号を収集することなく特別遊技状態中の相関パラメータを算出できる。また、算出した相関パラメータに基づいて、変動入賞装置が作動するとどのくらいの遊技媒体が入賞するのかを把握できる。よって、変動入賞装置の作動回数に影響されることなく、変動入賞装置周辺の釘調整の度合いを検証できる。
【手続補正５】
【補正対象書類名】明細書
【補正対象項目名】００１９
【補正方法】変更
【補正の内容】
【００１９】
第３の発明によれば、前記対応判別手段は、前記特別遊技状態遊技情報収集手段によって収集された特賞中アウト球数情報に基づいて、前記特別遊技状態において作動した変動入賞装置が、前記複数の変動入賞装置のうちのいずれであるのかを判別することによって、変動入賞装置の作動回数を特賞中アウト球数を用いて特定するので、変動入賞装置の作動回数を特定する特別な信号を用いることなく、簡易な構成にできる。